(57)【要約】【課題】夜中のおむつ換えの時、常夜灯（黄色豆電球）下のような暗い所でも、おむつ換えが容易な展開型の使い捨ておむつ提供することにある。【解決手段】本発明の展開型の使い捨ておむつ１は、長手方向の両側縁部それぞれにファスニングテープ８が配されており、該ファスニングテープ８は、その取り付け部８１により前記側縁部に固定されており、該ファスニングテープ８の一方の面８Ａに止着手段８２としての面ファスナのオス材が設けられており、ファスニングテープ８の他方の面８Ｂは、図４に示すように、その所定幅の先端部８３の色と、該先端部８３と取り付け部８１との間に位置する中央部８４の色とが異なっており、６００〜７００ｎｍの波長の光に対する反射率が、先端部８３と中央部８４との間で20％以上の差があり、先端部８３の反射率の方が中央部８４よりも低い。【選択図】図１
2008012139.tif 000002
【特許請求の範囲】
【請求項１】
長手方向の両側縁部それぞれにファスニングテープが配されており、該ファスニングテープは、その取り付け部により前記側縁部に固定されており、該ファスニングテープの一方の面に止着手段が設けられている展開型の使い捨ておむつであって、
前記ファスニングテープの他方の面は、その所定幅の先端部の色と、該先端部と前記取り付け部との間に位置する中央部の色とが異なっており、
６００〜７００ｎｍの波長の光に対する反射率が、前記先端部と前記中央部との間で２０％以上の差があり、前記先端部の反射率の方が前記中央部よりも低い展開型の使い捨ておむつ。
【請求項２】
前記ファスニングテープが、前記止着手段を肌当接面と対向させて折り畳まれた状態で、該肌当接面側における前記ファスニングテープの周辺部の色と、前記先端部の色とは異なっており、
６００〜７００ｎｍの波長の光に対する反射率が、前記先端部と前記周辺部との間で２０％以上の差があり、前記先端部の反射率の方が前記周辺部よりも低い請求項１記載の展開型の使い捨ておむつ。
【請求項３】
前記ファスニングテープの前記他方の面は、前記中央部が、前記一方の面の前記止着手段が設けられている領域の反対側に位置しており、前記先端部が、該領域よりも前記ファスニングテープの先端側に位置している請求項１又は２記載の展開型の使い捨ておむつ。
【請求項４】
前記ファスニングテープの前記他方の面は、前記中央部と前記取り付け部との間における所定幅の境界部の色と、前記中央部の色とが異なっており、
６００〜７００ｎｍの波長の光に対する反射率が、前記境界部と前記中央部との間で２０％以上の差があり、前記境界部の反射率の方が前記中央部よりも低い請求項１〜３の何れかに記載の展開型の使い捨ておむつ。
【請求項５】
前記ファスニングテープが、前記止着手段を肌当接面と対向させて折り畳まれた状態で、前記境界部の色が、非肌当接面側から視認可能である請求項４記載の展開型の使い捨ておむつ。
【請求項６】
前記ファスニングテープの前記他方の面は、前記先端部が、４００〜５５０ｎｍの波長の光に対する反射率が３０％以上である請求項１〜５の何れかに記載の展開型の使い捨ておむつ。
【発明の詳細な説明】
【技術分野】
【０００１】
本発明は、展開型の使い捨ておむつに関する。
【背景技術】
【０００２】
従来、展開型の使い捨ておむつ、即ち、おむつ背側部の両側それぞれにファスニングテープが取り付けられ、且つ該ファスニングテープが止着されるランディングテープが腹側部の外面に取り付けられた使い捨ておむつが知られている。この種の使い捨ておむつは、ファスニングテープの一方の側が背側部に固定されており、他方の側が背側部に剥離自在に止着されており、その使用時には、例えば、ファスニングテープの該他方の側を背側部から剥離した後、おむつを着用者にあてがい、ファスニングテープの該他方の側を、腹側部のランディングテープに止着して着用される。
【０００３】
おむつの着用者が、例えば乳幼児である場合には、夜中におむつ換えを行うことがある。そして、乳幼児が寝ている場合には、目を覚まさないように、常夜灯（黄色豆電球）下のような暗い所で、おむつ換えを行う場合がある。このような暗い所で、ファスニングテープの一方の側を背側部から剥離する操作は、しばしば困難な作業となる。この理由は、ファスニングテープの位置が、暗いために視認し難いことにある。特に、ファスニングテープが、おむつの肌当接面側の白色と同じ色を有している場合には、その視認の困難さが顕著である。
そして、ファスニングテープの視認性を向上した展開型の使い捨ておむつが提案されている。
【０００４】
例えば、特許文献１には、背側部の両側それぞれにファスニングテープが配されており、ファスニングテープは、おむつの表面に取り付けられたリリーステープと、一端でおむつに固定され、該一端以外の部分でリリーステープに対して着脱自在の止着部と、該止着部の先端に形成されたタブ部を備え、おむつ装着時に止着部をリリーステープから外し、おむつの適当な位置に接着させることにより、おむつを固定するように構成されており、タブ部は、止着部と区別できるように着色されている展開型の使い捨ておむつが開示されている。
【０００５】
また、特許文献２には、前ウェスト部から後ウェスト部に至る縦長に形成され、後ウェスト部両側に設けられたファスニングテープを前ウェスト部に設けられたフロントターゲットテープに止着するようにされており、ファスニングテープに、蓄光、反射、発光、蛍光の少なくとも１つの暗所視認処理が施されている展開型の使い捨ておむつが開示されている。
【０００６】
【特許文献１】実開平７−２２７２７号公報
【特許文献２】特開２００３−２９０２８６号公報
【発明の開示】
【発明が解決しようとする課題】
【０００７】
特許文献１記載の展開型の使い捨ておむつは、止着部の先端に形成されたタブ部が該止着部と区別できるように着色されており、明るい所では、タブ部が止着部と区別し易いものの、夜中に用いる常夜灯（黄色豆電球）下のような暗い所では、タブ部の色によっては、その視認が困難な場合が考えられる。
【０００８】
また、特許文献２記載の展開型の使い捨ておむつは、ファスニングテープに、蓄光、反射、発光、蛍光の少なくとも１つの暗所視認処理が施されており、夜中の常夜灯（黄色豆電球）下のような暗い所で、ファスニングテープ自体の視認性は向上しているものの、通常おむつの肌当接面側は白色を有しており、該肌当接面側自体の光の反射率が高いため、前述したような暗所視認処理が施されたファスニングテープがおむつの白地の中に埋もれてしまい、結果としてファスニングテープの視認性が良くないことが考えられる。
【０００９】
従って、本発明の目的は、夜中のおむつ換えの時、常夜灯（黄色豆電球）下のような暗い所でも、おむつ換えが容易な展開型の使い捨ておむつを提供することにある。
【課題を解決するための手段】
【００１０】
本発明は、長手方向の両側縁部それぞれにファスニングテープが配されており、該ファスニングテープは、その取り付け部により前記側縁部に固定されており、該ファスニングテープの一方の面に止着手段が設けられている展開型の使い捨ておむつであって、
前記ファスニングテープの他方の面は、その所定幅の先端部の色と、該先端部と前記取り付け部との間に位置する中央部の色とが異なっており、
６００〜７００ｎｍの波長の光に対する反射率が、前記先端部と前記中央部との間で２０％以上の差があり、前記先端部の反射率の方が前記中央部よりも低い展開型の使い捨ておむつを提供することにより、上記目的を達成したものである。
【発明の効果】
【００１１】
本発明の展開型の使い捨ておむつによれば、夜中のおむつ換えの時、常夜灯（黄色豆電球）下のような暗い所でも、おむつ換えが容易である。
【発明を実施するための最良の形態】
【００１２】
以下、本発明の展開型の使い捨ておむつをその好ましい実施形態に基づいて、図面を参照しながら説明する。
【００１３】
本実施形態の展開型の使い捨ておむつ１（以下、単におむつともいう）は、乳幼児用のおむつであり、図１〜図７に示すように、長手方向の両側縁部それぞれにファスニングテープ８が配されており、該ファスニングテープ８は、その取り付け部８１により前記側縁部に固定されており、該ファスニングテープ８の一方の面８Ａに止着手段８２としての面ファスナのオス材が設けられている。
また、本実施形態のおむつ１におけるファスニングテープ８の他方の面８Ｂは、図４に示すように、その所定幅の先端部８３の色と、該先端部８３と取り付け部８１との間に位置する中央部８４の色とが異なっており、６００〜７００ｎｍの波長の光に対する反射率が、先端部８３と中央部８４との間で20％以上の差があり、先端部８３の反射率の方が中央部８４よりも低い。
【００１４】
本実施形態のおむつ１について、更に説明すると、おむつ１は、長手方向が背側部Ｃ、股下部Ｂ及び腹側部Ａに区分され、該背側部Ｃの両側縁部それぞれにファスニングテープ８が配されている。
【００１５】
おむつ１は、図２及び図３に示すように、液透過性の表面シート２、液不透過性又は撥水性の裏面シート３及び両シート間に介在された液保持性の吸収体４を具備し、実質的に縦長に形成されている。おむつ１は、その長手方向が着用時に着用者の腹側に配される腹側部Ａ、着用者の股間部に配される股下部Ｂ及び着用者の背側に配される背側部Ｃに区分される。尚、図３には、おむつ幅方向の一方の側のみが示されているが、他方の側も同様に構成されている。
【００１６】
背側部Ｃの長手方向の両側部には、それぞれ、サイドフラップＳが形成されており、該サイドフラップＳにはファスニングテープ８が取り付けられている。また、同様に、腹側部Ａの長手方向の両側部にも、それぞれ、サイドフラップＳが形成されている。サイドフラップＳの肌当接面側及び非肌当接面側それぞれは、後述するシート材６２及び外層シート５から形成されている
また、腹側部Ａの非肌当接面側には、ファスニングテープ８が止着されるランディングテープ９が貼り付けられている。
【００１７】
おむつ１は、図２に示すように、全体として長手方向中央部が幅方向内方に括れた砂時計の形状を有している。表面シート２及び裏面シート３それぞれは、吸収体４の左右両側縁から外方に延出している。裏面シート３における非肌当接面側の面には、撥水性の不織布からなる外層シート５が接合されており、該外層シート５は、おむつ１の輪郭を画成している。
【００１８】
表面シート２は、図３に示すように、その幅方向の寸法が、裏面シート３の幅方向の寸法よりも小さくなっており、表面シート２の左右両側縁は、裏面シート３の左右両側縁よりも、おむつ幅方向の内方で終端している。また、裏面シート３は、その幅方向の寸法が、外層シート５の幅方向の寸法よりも小さくなっており、裏面シート３の左右両側縁は、外層シート５の左右両側縁よりも、おむつ幅方向の内方で終端している。
【００１９】
吸収体４は、図２に示すように、縦長であり、その長手方向がおむつ長手方向と一致している。吸収体４は、腹側部Ａ側の端部から背側部Ｃ側の端部に亘り配されている。また、吸収体４は、その長手方向中央部が幅方向内方に括れた砂時計の形状を有している。吸収体４は、その幅方向内方に括れた部分が、概ね股下部Ｂに位置するように配されており、おむつ着用時において、着用者の股間部における装着感が高められている。
【００２０】
本実施形態のおむつ１には、図１及び図２に示すように、吸収体４における長手方向の両側部に沿って、一対の防漏カフ６，６が形成されている。各防漏カフ６は、弾性部材６１を有する防漏カフ形成用の不織布からなるシート材６２を、図３に示すように、表面シート２の両側縁の外方から内方に亘るように配設して形成されている。各シート材６２は、吸収体４の側縁と後述するレッグギャザー形成用の弾性部材７１との間において、おむつ長手方向に亘って直線状に表面シート２上に固定されており、その直線状の固定部６３が防漏カフ６の固定端となっている。
【００２１】
各シート材６２は、固定部６３よりも幅方向外方に位置する部分が表面シート２又は裏面シート３上に固定されており、また、おむつの長手方向両端部近傍における固定部６３よりもおむつ幅方向中央側に位置する部分は表面シート２上に固定されている。防漏カフ６には、その自由端近傍に伸張状態で固定された複数の糸状の立体ギャザー形成用の弾性部材６１、６１を備えている。防漏カフ６の自由端は、おむつ展開状態において、おむつ長手方向と略平行に形成されている。
【００２２】
また、本実施形態のおむつ１には、図１及び図２に示すように、おむつ長手方向の両側部に沿って、一対のレッグフラップ７，７が形成されている。レッグフラップ７は、シート材６２が、固定部６３からおむつ幅方向外方に延出して形成されている。レッグフラップ７には、その自由端近傍に伸張状態でシート材６２に固定された複数の糸状のレッグギャザー形成用の弾性部材７１、７１を備えている。
【００２３】
次に、本実施形態のおむつ１におけるファスニングテープ８について、更に以下に説明する。
ファスニングテープ８は、図５に示すように、横長であり、その長手方向がおむつ幅方向と一致している。ファスニングテープ８は、その矩形を有する取り付け部８１が、図３に示すように、シート材６２と外層シート５との間に挟持固定されている。取り付け部８１の両面それぞれは、シート材６２又は外層シート５と公知の接合方法により接合されている。
ファスニングテープ８は、図５に示すように、取り付け部８１からおむつ幅方向の外方に延出する延出部８６を有している。この延出部８６は、角部が丸みを帯び、側辺が曲線となっている台形をしている。該延出部８６の一方の面８Ａには、面ファスナのオス材８２が接合されている。ファスニングテープ８は、おむつ使用前には、図３に示すように、一方の面８Ａ側を背側部Ｃの肌当接面と対向させて折り畳まれた状態にあり、オス材８２により、面ファスナのメス材である不織布からなるシート材６２と剥離自在に止着されている。
【００２４】
ファスニングテープ８の他方の面８Ｂには、図４に示すように、止着部材は設けられていない。この他方の面８Ｂの先端部８３は、所定の幅を有し、着色された部分である。
また、ファスニングテープ８の他方の面８Ｂは、中央部８４と取り付け部８１との間における所定幅の境界部８５の色と、中央部８４の色とが異なっている。境界部８５における取り付け部８１側の部分は、図５に示すように、シート材６２と外層シート５との間に挟持固定されている。また、境界部８５の中央部８４側の部分は、背側部Ｃの長手方向側縁から、おむつ幅方向の外方に延出している。
【００２５】
ファスニングテープ８の他方の面８Ｂは、先端部８３と境界部８５とが、同じ色に着色されており、該先端部８３及び該境界部８５の色と、該先端部８３と該境界部８５との間に位置する中央部８４の色とが異なっている。
ファスニングテープ８が、図４に示すように、他方の面８Ｂを外方に向けて折り畳まれた状態では、先端部８３、中央部８４、境界部８５における中央部８４側の部分、それぞれが、所定の幅を有し隣接している。ここで所定の幅は、ファスニングテープ８の各部位のおむつ幅方向の長さである。
ファスニングテープ８の先端部８３の幅は、境界部８５の幅より小さくしている。先端側に向けて細くなっているので、ファスニングテープの向きも見えやすくなっている。
【００２６】
ファスニングテープ８の他方の面８Ｂは、中央部８４が、図５に示すように、一方の面８Ａの止着手段としての面ファスナのオス材８２が設けられている領域の反対側に位置しており、先端部８３が、該領域よりもファスニングテープ８の先端側に位置している。即ち、他方の面８Ｂにおける先端部８３の反対側には、図３に示すように、面ファスナのオス材８２が設けられていない。
【００２７】
ファスニングテープ８は、図３に示すように、境界部８５において折曲されており、その着色された部分が、図４及び図６に示すように、背側部Ｃの肌当接面側及び非肌当接面側それぞれに臨んでいる。
【００２８】
本実施形態のおむつ１は、ファスニングテープ８の他方の面８Ｂにおいて、６００〜７００ｎｍの波長の光に対する反射率が、先端部８３と中央部８４との間で20％以上、特に23％以上、更には26％以上の差があることが好ましく、先端部８３の反射率の方が中央部８４よりも低くなっている。即ち、他方の面８Ｂにおいて、先端部８３は、６００〜７００ｎｍの波長の光の吸収率が、中央部８４よりも高くなっている。
６００〜７００ｎｍの波長の光は、黄〜赤色に対応する波長の光であり、例えば、夜中に用いる常夜灯（黄色豆電球）が有する光である。このように可視光領域の光について、６００ｎｍ未満の波長を有する光量が少なく、主に６００〜７００ｎｍの波長を有する光量が主体となっているような暗い所を、以下暗所下ともいう。暗所下は、例えば、夜中の常夜灯のみの明かりの下で、乳幼児のおむつ換えを行っているような明るさの環境を意味する。
【００２９】
本実施形態のおむつ１は、その使用前には、ファスニングテープ８が、図１及び図２に示すように、その他方の面を外方に向けて折り畳まれた状態にある。そして、暗所下において、図１及び図２に示す状態のおむつ１を見た場合、ファスニングテープ８の先端部８３は、隣接する中央部８４よりも黒っぽく見え、一方中央部８４は白っぽく見える。また、６００〜７００ｎｍの波長の光に対して、先端部８３と中央部８４との間で、前述した範囲の反射率の差があるため、先端部８３と中央部８４との間で明暗の差が大きく、先端部８３の視認性が極めて高いものである。
【００３０】
また、ファスニングテープ８の他方の面８Ｂにおいて、中央部８４の色の明度は、Ｌ*ａ*ｂ*表色系（ＣＩＥ１９７６）の色座標指数のＬ*値が50以上、ａ*値が-5〜5、ｂ*値が-5〜5であることが好ましい。即ち、中央部８４の色は、いわゆる白色であることが好ましい。いわゆる白色を有する部材をおむつに用いると、日中のような明るい所（以下、昼光下ともいう）において、清潔感が感じられ、デザイン性も優れる。
【００３１】
中央部８４が前述した範囲の色座標指数を有する場合には、他方の面８Ｂの先端部８３の色の明度は、Ｌ*値が50〜70且つａ*値とｂ*値の双方が30以下で且つａ*値とｂ*値の少なくとも一方が-20以下であることが前述した観点から好ましい。このような色座標指数を有する色としては、例えば、昼光下で、いわゆる青、青緑、緑、黄緑に見える色が含まれる。
【００３２】
ファスニングテープ８の先端部８３と中央部８４との間で、６００〜７００ｎｍの波長の光に対する反射率の差の測定方法としては、例えば、以下の方法が挙げられる。
まず、おむつ１からファスニングテープ８を取り外し、次に、先端部８３及び中央部８４それぞれを、切り出して、先端部８３及び中央部８４それぞれの測定サンプルとする。
【００３３】
先端部８３及び中央部８４それぞれの測定サンプルの反射率の測定は、分光式色差計を用いて行い、例えば日本電色工業株式会社製の分光式色差計SE-2000（商品名）を用いて行うことができる。分光式色差計SE-2000による計測方法は以下の通りである。まず、光源はC光源2度視野とし、付属の標準白板にて標準合わせを行った後に測定サンプルを試料台の上に置き、付属の試料押さえによって試料を固定した状態で反射測定を行う。投光口は6ｍｍφであるが、測定サンプルはその投光口を覆う大きさとする。被測定部位が測定器の投光口を覆えない程小さい場合には、同種の被測定部位を複数継ぎ合わせて投光口を覆える大きさに適宜調整したものを測定サンプルとする。
このようにして、先端部８３及び中央部８４それぞれの測定サンプルの分光反射スペクトルを測定し、６００〜７００ｎｍの波長について各波長ごとの反射率の差を求め、その値の最大値を、６００〜７００ｎｍの波長の光に対する反射率の差とした。
【００３４】
また、前記「Ｌ*ａ*ｂ*表色系」とは、国際照明委員会（ＣＩＥ）で規格化され、ＪＩＳ（ＪＩＳ  Ｚ８７２９）においても採用されている表色系をいう。「Ｌ*ａ*ｂ*表色系」では、Ｌ*は明るさを、ａ*、ｂ*は色の方向を示しており、ａ*は略赤方向、−ａ*は略緑方向、ｂ*は略黄色方向、−ｂ*は略青方向を示している。
【００３５】
ファスニングテープ８の先端部８３及び中央部８４それぞれの、色座標指数の測定方法としては、例えば、以下の方法が挙げられる。まず、反射率の測定と同様に、先端部８３及び中央部８４それぞれの測定サンプルを作製する。そして、これら測定サンプルの色座標指数は、例えば、前述した日本電色工業株式会社製の分光式色差計SE-2000（商品名）を用いて得られる。
【００３６】
分光式色差計SE-2000による色座標指数の計測方法は、前述したのと同様である。なお、光源はC光源2度視野にて測定される。
【００３７】
また、ファスニングテープ８の他方の面８Ｂは、先端部８３が、４００〜５５０ｎｍの波長の光に対する反射率の最大値が３０％以上であることが好ましい。４００〜５５０ｎｍの波長の光は、青〜緑色に対応する波長の光であり、例えば、日中の光が有する光であり、昼光下には４００〜５５０ｎｍの波長の光が存在する。
このように、他方の面８Ｂの先端部８３は、４００〜５５０ｎｍの波長の光に対する反射率が３０％以上であるため、昼光下において、鮮やかな色を有しており、デザイン性に優れているので、特に乳幼児に用いられるおむつの部材の色として適している。
【００３８】
先端部８３の４００〜５５０ｎｍの波長の光に対する反射率は、前述したのと同様の測定から得られた分光反射スペクトルにおける４００〜５５０ｎｍの波長の範囲での反射率の最大値とした。
【００３９】
更に、本実施形態のおむつ１のファスニングテープ８について以下に説明する。ファスニングテープ８の他方の面８Ｂは、境界部８５も先端部８３と同じ色に着色されていることが好ましい。
従って、６００〜７００ｎｍの波長の光に対する反射率が、境界部８５と中央部８４との間で20％以上の差があり、境界部８５の反射率の方が中央部８４よりも低い。
【００４０】
図１及び図２に示す状態のおむつ１を、暗所下において見た場合、境界部８５は、先端部８３と同様に、境界部８５と中央部８４との間で明暗の差が大きく、隣接する中央部８４よりも黒っぽく見え、中央部８４は白っぽく見える。
ファスニングテープ８の境界部８５と中央部８４との間で、６００〜７００ｎｍの波長の光に対する反射率の差の測定は、前述したものと同様に行える。
【００４１】
また、図１及び図２に示すように、ファスニングテープ８が、止着手段としての面ファスナのオス材８２を背側部Ｃの肌当接面と対向させて折り畳まれた状態で、該背側部Ｃの肌当接面側におけるファスニングテープ８の周辺部Ｐの色と、先端部８３の色とは異なっており、６００〜７００ｎｍの波長の光に対する反射率が、先端部８３と周辺部Ｐとの間で20％以上、特に23％以上の差があることが好ましく、先端部８３の反射率の方が周辺部Ｐよりも低い。ファスニングテープ８の先端部８３と周辺部Ｐとの間で、６００〜７００ｎｍの波長の光に対する反射率の差の測定は、前述したものと同様に行える。
【００４２】
周辺部Ｐは、図２及び図３に示すように、ファスニングテープ８の周囲のシート材６２から構成されている。不織布からなるシート材６２の色は、前述したファスニングテープ８の中央部８４と同様の色を有していることが好ましい。即ち、周辺部Ｐの色は、Ｌ*ａ*ｂ*表色系（ＣＩＥ１９７６）の色座標指数それぞれが、中央部８４と同じ範囲内にあることが好ましい。つまり、周辺部Ｐは、いわゆる白色をしている。
【００４３】
従って、図１及び図２に示す状態のおむつ１を、暗所下において見た場合、先端部８３は、周辺部Ｐとの間で明暗の差が大きく、周辺部Ｐよりも黒っぽく見え、該周辺部Ｐは白っぽく見える。即ち、暗所下において、ファスニングテープ８の先端部８３は、おむつ１の中で極めて視認性が良好である。
同様に、先端部８３と同じ色に着色されている境界部８５の中央部８４側の部分は、周辺部Ｐとの間で明暗の差が大きく、周辺部Ｐよりも黒っぽく見え、該周辺部Ｐは白っぽく見える。
【００４４】
ファスニングテープ８の他方の面を暗所下に見た場合、先端部８３、中央部８４、境界部８５における中央部８４側の部分それぞれは、明暗の差が大きく、黒っぽい色、白っぽい色、黒っぽい色を有し且つ所定の幅で交互に並んでおり、摘み部としてのファスニングテープの先端部８３の視認性が強調されている。そのため、暗所下において、おむつ１の先端部８３は、極めて摘み易いものである。
【００４５】
また、本実施形態のおむつ１は、ファスニングテープ８が、止着手段としての面ファスナのオス材８２を背側部Ｃの肌当接面と対向させて折り畳まれた状態で、他方の面８Ｂの境界部８５の色が、背側部Ｃの非肌当接面側から視認可能である。
境界部８５の取り付け部８１側の部分の非肌当接面側は、図３に示すように、撥水性の不織布からなる外層シート５に覆われている。境界部８５の色は、外層シート５の非肌当接面側から、該外層シート５を透して見えるようになっている。外層シート５の坪量は、5〜30ｇ／ｍ2、特に10〜20ｇ／ｍ2であることが、境界部８５の色が外層シート５を透して良好に見える上で好ましい。
【００４６】
更に、図６に示すように、ファスニングテープ８は、背側部Ｃの長手方向の側縁からおむつ幅方向外方にやや延出した位置で折曲されているので、境界部８５の一部が、外層シート５に覆われてないため、境界部８５の色が、背側部Ｃの非肌当接面側から直接視認可能となっている。
【００４７】
次に、本実施形態のおむつ１における腹側部Ａのランディングテープ９について、更に説明する。
ランディングテープ９は、横長矩形であり、その長手方向がおむつ幅方向と一致している。ランディングテープ９は、腹側部Ａの外層シート５の非肌当接面側の面に貼り付けられている。そして、ランディングテープ９の表面には、図７に示すように、ファスニングテープ８との位置合わせ用の縦線９１が所定間隔を置いて複数設けられている。各縦線９１には、その位置を示す位置合わせ用の数字９２が表示されている。また、ランディングテープ９の長手方向の両端部それぞれには、図６に示すように、所定の幅を有する着色部分９３が設けられている。
【００４８】
ランディングテープ９は、縦線９１、数字９２及び着色部分９３が、同じ色を有している。また、縦線９１、数字９２及び着色部分９３と、ランディングテープ９のそれ他の部分とは、色が異なっている。
そして、ランディングテープ９は、６００〜７００ｎｍの波長の光に対する反射率が、縦線９１、数字９２及び着色部分９３と、それ以外の部分との間で20％以上の差があり、縦線９１、数字９２及び着色部分９３の反射率の方がそれ他の部分よりも低い。
【００４９】
ランディングテープ９において、縦線９１、数字９２及び着色部分９３それぞれは、例えばファスニングテープ８の他方の面８Ｂにおける先端部８３と同じ色で着色されていることが好ましい。また、ランディングテープ９の縦線９１、数字９２及び着色部分９３以外の部分は、例えば、ファスニングテープ８の他方の面８Ｂにおける中央部８４と同じ色を有していることが好ましい。従って、縦線９１、数字９２及び着色部分９３は、暗所下において、ランディングテープ９のその他の部分との間で明暗の差が大きく、黒っぽく見え、該部分は白っぽく見える。即ち、ランディングテープ９は、暗所下において、ファスニングテープ８の位置あわせ用の縦線９１、数字９２及び着色部分９３の視認性に優れている。
【００５０】
尚、ランディングテープ９の縦線９１、数字９２及び着色部分９３以外の部分は、先端部８３の好ましい色として説明した色以外の色を用いて、部分的に着色された部分を有していても良い。
【００５１】
ランディングテープ９の縦線９１、数字９２及び着色部分９３と、それ以外の部分との間で、６００〜７００ｎｍの波長の光に対する反射率の差の測定は、前述したものと同様に行える。
【００５２】
前述した本実施形態のおむつ１は、乳幼児用に用いられるもので、その寸法は具体的な用途に応じて適宜設計されることが好ましいが、例えば、ファスニングテープ８の長手方向の長さは、２０〜５０ｍｍであり、延出部８６のおむつ幅方向の長さは、２５〜５０ｍｍであることが、ファスニングテープ８の止着操作性の観点から好ましい。
また、ファスニングテープ８の各部位は、下記の寸法を有していることが、暗所下におけるおむつ交換の操作性の観点から好ましい。
ファスニングテープ８の先端部８３の幅は、３〜２０ｍｍ、特に５〜１５ｍｍであることが好ましい。また、ファスニングテープ８の境界部８５の幅は、３〜２０ｍｍ、特に５〜１５ｍｍであることが好ましい。更に、境界部８５の中央部８４側の部分の幅は、１５〜４０ｍｍ、特に２５〜３５ｍｍであることが好ましい。
【００５３】
次に、本実施形態のおむつ１を形成する各部材について説明すると、ファスニングテープ８の形成材料としては、従来の使い捨ておむつ等において用いられている不織布又は合成樹脂製フィルム等の各種のテープ材料を用いることができるが、特に、不織布であることが風合いや摘み易さの観点から好ましい。ファスニングテープ８の中央部８４の白色度を高める観点から、テープ材料を成型する樹脂に二酸化チタンなどの白色顔料を混練することも好ましい。
また、ランディングテープ９の形成材料としては、従来の使い捨ておむつ等において用いられている面ファスナのメス材となる不織布、又は面ファスナのメス材となる不織布若しくは編布を接合した合成樹脂製フィルム等が好ましく、特にそれ自身で面ファスナのメス材となる不織布が好ましい。
また、表面シート２、裏面シート３、外層シート５又は吸収体４としては、従来の吸収性物品等において用いられている各種材料を用いることができる。
【００５４】
次に、前述した本実施形態のおむつ１におけるファスニングテープ８の好ましい製造方法を、図８を参照しながら以下に説明する。
まず、長尺状の不織布の原反（図示せず）を用意し、該原反の一方の面において、その幅方向に所定の間隔を置いて、所定の幅を有する一対の着色帯８７，８７を長手方向に連続するように着色する。一対の着色帯８７，８７それぞれは、前記原反における長手方向の両側縁から、所定の幅だけ離間していることが好ましい。一対の着色帯８７，８７の着色は、印刷又は着色された帯を接合して形成しても良い。
前記原反は、前述したファスニングテープ８の他方の面８Ｂにおける中央部８４と同じ色を有していることが好ましく、一対の着色帯８７，８７それぞれは、同じく先端部８３と同じ色を有していることが好ましい。
【００５５】
次いで、前記原反の他方の面において、一対の着色帯８７，８７の間の反対側の領域に、長尺状の面ファスナのオス材の連続体（図示せず）を、長手方向に沿って接合する。
【００５６】
次いで、前記原反を、前記オス材の連続体と共に、一対の着色帯８７，８７の間を揺動させながら、長手方向に切断して、一対のファスニングテープ連続体８０，８０を作製する。該切断は、図８に示すように、揺動方向の両端が、一対の着色帯８７，８７それぞれの幅の中に位置するように行うことが好ましい。
【００５７】
然る後、一対のファスニングテープ連続体８０，８０それぞれを、所定の間隔で幅方向に切断し、個々のファスニングテープ８を得る。該切断は、揺動する切断により形成された輪郭において、幅方向の内方に括れた部分の頂点の位置で行うことが好ましい。
前述したファスニングテープ８の製造方法によれば、前記原反からトリムを出すことなく、簡単な工程で、本実施形態のおむつ１におけるファスニングテープ８を作製することができる。
【００５８】
次に、前述したおむつ１を、暗所下でおむつ換えをする際に、従来のおむつと比べて、操作性に優れる点について以下に説明する。
本実施形態のおむつ１は、包装状態においては、例えば、背側部Ｃ及び肌側部ＡそれぞれのサイドフラップＳをおむつ幅方向の内方側に折り畳んだ状態で、おむつ長手方向に２つ折りされている。暗所下において、おむつ換えをする際には、まず、包装状態のおむつ１を取り出し、該おむつ１を、その２つ折りの状態から、肌当接面側を内側にしておむつ長手方向に開き、次に背側部Ｃの一対のサイドフラップＳ，Ｓをおむつ幅方向の外方に開く操作が必要となる。
【００５９】
前述したように開いた状態のおむつ１は、図６に示すように、サイドフラップＳがその外層シート５側を外方に向けて折り畳まれた状態にある。従来のおむつでは、外層シート５は、通常いわゆる白色を有しており、おむつ１の肌当接面側（例えば、表面シート）も通常いわゆる白色を有していることから、暗所下においては、サイドフラップＳの端縁が視認し辛く、サイドフラップＳを開く操作が困難な場合があった。
一方、本実施形態のおむつ１は、前述した色を有する境界部８５が、背側部Ｃの非肌当接面側から視認可能であるため、図６に示すおむつ１の状態で、サイドフラップＳの端縁の位置が極めて容易に判別でき、背側部Ｃの一対のサイドフラップＳ，Ｓをおむつ幅方向の外方に開く操作が速やかに行えるものである。
【００６０】
更に、夜中に行う乳幼児のおむつ換えは、布団の上で行われる場合が多いが、布団の上に敷かれたシーツの色が通常いわゆる白色であり、従来のおむつは、背側部Ｃの一対のサイドフラップＳ，Ｓを広げた状態のおむつもいわゆる白色を有しており、暗所下において、該おむつの輪郭を判別することが困難な場合があった。
一方、本実施形態のおむつ１は、図１及び図２に示すように、ファスニングテープ８の他方の面８Ｂにおける先端部８３及び境界部８５の延出部８６側の部分の視認性に優れるため、背側部Ｃの一対のサイドフラップＳ，Ｓを広げた状態のおむつの輪郭を判別することが極めて容易である。また、図６に示すように、腹側部Ａの一対のサイドフラップＳ，Ｓそれぞれが、おむつ幅方向の内方に折り畳まれた状態において、ランディングテープ９の着色部９３は、暗所下でも視認性に優れるため、腹側部Ａの輪郭の視認性にも優れている。
【００６１】
前述した本実施形態のおむつ１によれば、ファスニングテープ８の先端部８３は、暗所下で視認性に優れており、反対側の面に止着手段８２が設けられていないので、摘み部として操作性に優れている。また、ランディングテープ９は、位置あわせ用の縦線９１及び数字９２の暗所下で視認性が優れている。そのため、おむつ１は、暗所下での操作性に優れており、おむつ換えが容易である。
また、ファスニングテープ８の先端部８３及び境界部８５それぞれは、昼光下において、鮮やかな色を有しているため、おむつ１はデザイン性に優れている。
【００６２】
本発明の展開型の使い捨ておむつ１は、前述した実施形態に制限されることなく、本発明の趣旨を逸脱しない限り適宜変更が可能である。
例えば、本発明の展開型の使い捨ておむつ１は、前述した本実施形態において、ファスニングテープ８が、おむつ１の背側部Ｃの両側縁部に配されていたが、ファスニングテープ８は、腹側部Ａの両側縁部に配されていても良い。また、本実施形態は、乳幼児用の実施形態を用いて説明したが、大人用であっても良い。
また、おむつ１は、背側部Ｃにおいて、おむつ幅方向に伸縮する伸縮部を有していても良い。例えば、背側部Ｃ側のおむつ長手方向における端縁に沿って、おむつ幅方向に伸縮するウエスト伸縮部を有していても良い。また、背側部Ｃの両端部におむつ幅方向に伸縮する一対の幅方向伸縮部を有していても良い。
【実施例】
【００６３】
以下、本発明の実施例を用いて更に説明する。ただし、本発明の範囲はかかる実施例に制限されるものではない。
【００６４】
〔実施例１〕
図１〜図３に示す形態の展開型の使い捨ておむつを製造した。
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他の部位については、常法に従いおむつを作製し、実施例１を得た。
【００６５】
〔実施例２〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、実施例２を得た。
【００６６】
〔実施例３〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、実施例３を得た。
【００６７】
〔実施例４〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、実施例４を得た。
【００６８】
〔実施例５〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、比較例１を得た。
【００６９】
〔比較例１〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、比較例１を得た。
【００７０】
〔比較例２〕
ファスニングテープ８の他方の面８Ｂにおいて、先端部８３及び境界部８５それぞれには、表１に示す色を着色した。また、ファスニングテープ８の他方の面８Ｂにおいて、中央部８４は、表１に示す参照色を有していた。その他は、実施例１と同様にして、比較例２を得た。
【００７１】
〔評価１〕
実施例１〜５並びに比較例１及び２のおむつについて、ファスニングテープ８の他方の面８Ｂにおける先端部８３と中央部８４との間で、６００〜７００ｎｍの波長の光に対する反射率の差の測定を、前述した方法で行った。その結果を表１及び図９に示す。図９中には、一例として、実施例４と参照色との間における反射率の差を矢印で示している。
尚、表１において、ΔＬ*は、各実施形態又は比較例におけるＬ*と参照色のＬ*との差であり、Δａ*は、各実施形態又は比較例におけるａ*と参照色のａ*との差であり、Δｂ*は、各実施形態又は比較例におけるｂ*と参照色のｂ*との差である。また、表１において、ΔＥ＊ａｂは、ΔＬ*、Δａ*、Δｂ*それぞれの２乗の和の平方根である。
【００７２】
〔評価２〕
実施例１〜５及び比較例１及び２のおむつについて、ファスニングテープ８の他方の面８Ｂにおける先端部８３の４００〜５５０ｎｍの波長の光に対する反射率の測定を、前述した方法で行った。その結果を表１及び図９に示す。表１には、反射率の最大値と、その光の波長を記載している。
【００７３】
〔評価３〕
実施例１〜５並びに比較例１及び２と共に、参照色のみのファスニングテープ８を有するおむつについて、常夜灯（黄色豆電球）の下でのファスニングテープ８の先端部８３の視認性の感応評価を実施した。常夜灯には松下電器産業株式会社製、小丸電球（商品名、１００Ｖ/５Ｗ）を用いた。評価は常夜灯の直下（距離は２ｍとした）に白地の木綿製シーツの上に水平におむつを置き、おむつに対して４５度の角度で距離５０ｃｍの角度から目視することにより行なった。感応評価基準は以下の通りである。
４点：わかりやすい。
３点：ややわかりやすい。
２点：ややわかりにくい。
１点：わかりにくい。
その結果を表１に記す。
【００７４】
〔評価４〕
また、昼光下でのデザイン性の確認として色の鮮やかさに関する感応試験を行なった。評価は前述の評価から照明を東芝ライフテック株式会社製の２つの環型蛍光灯（商品名：メロウＺ３波長型昼光色３２型（３０Ｗ）、ならびに４０型（３８Ｗ））に置き換えた以外は同様の条件で実施した。また、評価は実施例１〜５及び比較例１及び２について行なった。評価基準は以下の通りである。
４点：鮮やかである。
３点：やや鮮やかである。
２点：やや鮮やかでない。
１点：鮮やかでない。
その結果を表１に記す。
【００７５】
【表１】
2008012139.tif 000003
【００７６】
表１及び図９に示す結果から明らかなように、実施例１〜５のおむつは、各比較例と比べて、ファスニングテープ８の他方の面８Ｂにおける先端部８３と中央部８４との間で、６００〜７００ｎｍの波長の光に対する反射率の差が大きく、且つ該先端部８３の４００〜５５０ｎｍの波長の光に対する反射率が大きい。
また、常夜灯（黄色豆電球）の下での先端部８３の視認性は実施例１〜５では良好であった。昼光下の下での先端部８３の色の鮮やかさ感応評価を実施したところ、実施例１〜４では良好であった。
【図面の簡単な説明】
【００７７】
【図１】図１は、本発明の展開型の使い捨ておむつの一実施形態をその自然状態において示す斜視図である。
【図２】図２は、図１のおむつを各部の弾性部材を伸張させて平面状に拡げた状態を示す平面図である。
【図３】図３は、図２のＸ―Ｘ線拡大断面図である。
【図４】図４は、図２の要部を拡大して示す平面図である。
【図５】図５は、図４のファスニングテープを展開した状態を示す平面図である。
【図６】図６は、図１のおむつを包装状態の２つ折りされた状態から開いた自然状態を示す図である。
【図７】図７は、図１のランディングテープを示す斜視図である。
【図８】図８は、図１のファスニングテープの製造方法の要部を説明する模式図である。
【図９】図９は、実施例及び比較例の反射率を示す図である。
【符号の説明】
【００７８】
１  展開型の使い捨ておむつ
２  表面シート
３  裏面シート
４  吸収体
５  外層シート
６  防漏カフ
６１  立体ギャザー形成用の弾性部材
６２  防漏カフ形成用のシート
６３  固定部
７  レッグフラップ
７１  レッグギャザー形成用の弾性部材
８  ファスニングテープ
８Ａ    一方の面
８Ｂ    他方の面
８１  取り付け部
８２  メカニカルファスナのオス材（止着手段）
８３  先端部
８４  中央部
８５  境界部
８６  延出部
９  ランディングテープ
９１  位置合わせ用の縦線
９２  位置合わせ用の数字
Ａ  腹側部
Ｂ  背側部
Ｃ  股下部
Ｐ  周辺部
Ｓ  サイドフラップ
【図１】
2008012139.tif 000004
【図２】
2008012139.tif 000005
【図３】
2008012139.tif 000006
【図４】
2008012139.tif 000007
【図５】
2008012139.tif 000008
【図６】
2008012139.tif 000009
【図７】
2008012139.tif 000010
【図８】
2008012139.tif 000011
【図９】
2008012139.tif 000012